(57)【要約】【課題】高速動作に優れ、かつ、小型で低コストである絶縁型のスイッチング電源の同期回路およびスイッチング電源を提供する。【解決手段】スイッチング電源１０の制御ＩＣ１は、制御ＩＣ１から供給するＰＷＭ駆動信号に基づいて、スイッチ素子Ｑ１の導通状態を制御することにより、ＰＷＭ駆動信号のデューティ比に応じた実効値の電圧がトランスＴ１の二次側回路から取り出され、同様に、スイッチング電源２０の制御ＩＣ２は、制御ＩＣ２から供給するＰＷＭ駆動信号に基づいて、スイッチ素子Ｑ２の導通状態を制御することにより、ＰＷＭ駆動信号のデューティ比に応じた実効値の電圧がトランスＴ２の二次側回路から取り出され、その際、制御ＩＣ２は、制御ＩＣ１からトランスＴ３を介して絶縁された状態で供給される同期信号に同期させて、ＰＷＭ駆動信号をスイッチ素子Ｑ２に供給する。【選択図】図１
2005287226.tif 000002
【特許請求の範囲】
【請求項１】
第１のスイッチング電源回路と第２のスイッチング電源回路を同期させて動作させるためのスイッチング電源の同期回路であって、
絶縁トランスを有し、
前記第１のスイッチング電源回路を制御するための第１の制御手段と、前記第２のスイッチング電源回路を制御するための第２の制御手段との間の同期信号を、前記絶縁トランスを介して伝達する
スイッチング電源の同期回路。
【請求項２】
第１のスイッチング電源回路と第２のスイッチング電源回路を同期させて動作させるためのスイッチング電源の同期回路であって、
絶縁トランスを有し、
前記第１のスイッチング電源回路は、
第１のトランスと、
入力電圧に対し、前記第１のトランスと直列に接続される第１のスイッチ素子と、
同期信号を生成し、前記同期信号に同期させて送出する駆動信号により、前記第１のスイッチ素子の導通状態を制御する第１の制御手段と、を含み、
前記第２のスイッチング電源回路は、
第２のトランスと、
入力電圧に対し、前記第２のトランスと直列に接続される第２のスイッチ素子と、
前記第１の制御手段から前記同期信号を前記絶縁トランスを介して与えられ、前記同期信号に同期させて送出する駆動信号により、前記第２のスイッチ素子の導通状態を制御する第２の制御手段と、を含む
スイッチング電源の同期回路。
【請求項３】
前記第１の制御手段と前記第２の制御手段の間に、前記同期信号を変換するための信号変換手段を有する
請求項１記載のスイッチング電源の同期回路。
【請求項４】
第１のトランスと、入力電圧に対し、前記第１のトランスと直列に接続される第１のスイッチ素子と、同期信号を生成し、前記同期信号に同期させて送出する駆動信号により、前記第１のスイッチ素子の導通状態を制御する第１の制御手段と、を含む第１のスイッチング電源回路と、
絶縁トランスを含む同期回路と、
第２のトランスと、入力電圧に対し、前記第２のトランスと直列に接続される第２のスイッチ素子と、前記第１の制御手段から前記同期信号を前記絶縁トランスを介して与えられ、前記同期信号に同期させて送出する駆動信号により、前記第２のスイッチ素子の導通状態を制御する第２の制御手段と、を含む第２のスイッチング電源回路と
を有するスイッチング電源。
【発明の詳細な説明】
【技術分野】
【０００１】
本発明は、複数のスイッチング電源回路のドライブを同期させて行うためのスイッチング電源の同期回路およびスイッチング電源に関する。
【背景技術】
【０００２】
複数のスイッチング電源回路を駆動させる際に、各スイッチング電源回路の発振周波数が異なる場合には、かかる発振周波数の違いに起因してビートが発生し、その出力に干渉によるうねりが発生する。
たとえば、複数のスイッチング電源回路間において、共通の電圧を入力し、それぞれのスイッチング電源回路が有する独立した駆動回路とスイッチ素子に基づいて、入力信号を制御する構成とした場合には、回路設計自体は容易となるものの、それぞれの駆動回路のスイッチング周波数に応じたお互いに干渉された低周波乱調のようなリップル電圧が出力に観測される。
【０００３】
また、各スイッチング電源回路のスイッチング周波数が同一であっても、スイッチングのための駆動信号が同期していない場合には、各スイッチング電源回路のスイッチ素子をＯＮ／ＯＦＦさせる際に、スイッチング動作のタイミングが一致しないことに伴うノイズに起因して、駆動回路が誤動作し、または、制御機能が不安定となる。
さらに、このように、各スイッチング電源回路間を電気的に分離しない構成をとる場合、たとえば、各スイッチング電源回路のグランド電位を共通にする場合や、同期信号が絶縁して伝達されない場合には、各スイッチング電源回路のスイッチ素子のＯＮ／ＯＦＦに伴うノイズにより他のスイッチング電源回路が影響を受ける。
【０００４】
したがって、かかる観点から、各スイッチング電源回路間で、スイッチングのための駆動信号に対して同期をとるとともに、各スイッチング電源回路間を電気的に絶縁する必要がある。特に、当該同期信号は、駆動信号の送出タイミングの基準となるものであるため、確実に絶縁して伝達し、不要なノイズからシステムを保護する必要がある。
同期信号を絶縁して伝達するための手段としては、従来より、たとえば、フォトカプラを用いたものが知られている。
【発明の開示】
【発明が解決しようとする課題】
【０００５】
しかしながら、絶縁して同期信号を伝達するための同期回路として、フォトカプラを用いた場合には、以下に述べる不利益がある。
先ず第１に、フォトカプラは、高速での作動性に限界があるという問題がある。
たとえば、スイッチング電源回路のスイッチング周波数として、主として数１０ＫＨｚから数１０００ＫＨｚの周波数領域が使用されるが、コントロールＩＣから同期信号の出力電力が少ないため、このままでは上述した高い周波数の同期信号を直接駆動することができない。したがって、フォトカプラを高速で駆動するためのドライバをフォトカプラの前段回路として使用する必要があり、消費電力およびコスト増加につながる。
また、同期信号に使用されるクロック信号は、電圧振幅が数ボルトで、かつ、そのパルス幅が数ｎｓ〜１００ｎｓ程度であるため、実際に使用可能なフォトカプラがかなり限定される。たとえば、スイッチング周波数が低いスイッチング電源回路にしか使用できない場合がある。
【０００６】
第２に、高周波数に使用可能なフォトカプラが存在する場合でも、出力側（光検出に要する回路）に電源（たとえが、５Ｖ電源）が必要となるため、回路構成が複雑となり、さらなるコスト増加となる。
第３に、フォトカプラにより同期信号を高速で伝達するためには、フォトカプラに多くの電流を流す必要があるが、この駆動電流のタイミングにより同期回路にノイズが発生し、誤動作するおそれもある。
【０００７】
本発明はかかる事情に鑑みてなされたものであり、その目的は、高速動作に優れ、かつ、小型で低コストである絶縁型のスイッチング電源の同期回路およびスイッチング電源を提供することにある。
【課題を解決するための手段】
【０００８】
上記目的を達成するために、本発明の第１の観点は、第１のスイッチング電源回路と第２のスイッチング電源回路を同期させて動作させるためのスイッチング電源の同期回路であって、絶縁トランスを有し、前記第１のスイッチング電源回路を制御するための第１の制御手段と、前記第２のスイッチング電源回路を制御するための第２の制御手段との間の同期信号を、前記絶縁トランスを介して伝達するスイッチング電源の同期回路である。
【０００９】
上記目的を達成するために、本発明の第２の観点は、第１のスイッチング電源回路と第２のスイッチング電源回路を同期させて動作させるための同期回路であって、絶縁トランスを有し、前記第１のスイッチング電源回路は、第１のトランスと、入力電圧に対し、前記第１のトランスと直列に接続される第１のスイッチ素子と、同期信号を生成し、前記同期信号に同期させて送出する駆動信号により、前記第１のスイッチ素子の導通状態を制御する第１の制御手段と、を含み、前記第２のスイッチング電源回路は、第２のトランスと、入力電圧に対し、前記第２のトランスと直列に接続される第２のスイッチ素子と、前記第１の制御手段から前記同期信号を前記絶縁トランスを介して与えられ、前記同期信号に同期させて送出する駆動信号により、前記第２のスイッチ素子の導通状態を制御する第２の制御手段と、を含む。
好ましくは、上記スイッチング電源の同期回路は、前記第１の制御手段と前記第２の制御手段の間に、前記同期信号を変換するための信号変換手段を有する。
【００１０】
上記目的を達成するために、本発明の第２の観点は、第１のトランスと、入力電圧に対し、前記第１のトランスと直列に接続される第１のスイッチ素子と、同期信号を生成し、前記同期信号に同期させて送出する駆動信号により、前記第１のスイッチ素子の導通状態を制御する第１の制御手段と、を含む第１のスイッチング電源回路と、絶縁トランスを含む同期回路と、第２のトランスと、入力電圧に対し、前記第２のトランスと直列に接続される第２のスイッチ素子と、前記第１の制御手段から前記同期信号を前記絶縁トランスを介して与えられ、前記同期信号に同期させて送出する駆動信号により、前記第２のスイッチ素子の導通状態を制御する第２の制御手段と、を含む第２のスイッチング電源回路とを有するスイッチング電源である。
【００１１】
本発明の第１の観点に係るスイッチング電源の同期回路によれば、第１のスイッチング電源回路を制御するための第１の制御手段と、第２のスイッチング電源回路を制御するための第２の制御手段との間の同期信号を、絶縁トランスを介して伝達するので、各制御手段は、同期信号を高速に絶縁した状態で伝達できる。
【００１２】
本発明の第２の観点に係るスイッチング電源の同期回路によれば、第１のスイッチング電源回路の第１の制御手段は、第１のスイッチ素子の導通状態を制御することにより、第１のトランスの二次側に誘起される電圧を制御し、第２のスイッチング電源回路の第１の制御手段は、第１の制御手段から絶縁トランスを介して供給される同期信号に応じて、第２のスイッチ素子の導通状態を制御することにより、第２のトランスの二次側に誘起される電圧を制御するので、同期信号を高速に絶縁した状態で伝達できる結果、第１および第２の制御手段によるそれぞれ第１および第２のスイッチ素子に対する導通状態の制御を、完全に同期させて行うことが可能となる。
【発明の効果】
【００１３】
本発明によれば、複数のスイッチング電源を制御するための駆動制御に必要な同期信号を、スイッチング電源間でスイッチング周波数が高い場合にも確実に絶縁して伝達でき、かつ、小型で低コストであるため、幅広くスイッチング電源に使用可能である。
【発明を実施するための最良の形態】
【００１４】
第１の実施形態
図１は、本実施形態に係るスイッチング電源の同期回路の構成の一例を示す回路図である。
図１に示す同期回路は、それぞれ独自に直流電圧を入力する複数のスイッチング電源を同期させて動作させるために、各スイッチング電源の制御ＩＣ間の同期信号を伝達するための同期回路である。その際、スイッチング動作に伴って発生するノイズを低減させるために、同期信号を絶縁して伝達する。
以下、図１に示すスイッチング電源の同期回路の動作について述べる。
【００１５】
図１に示すように、各スイッチング電源１０，２０は、第１および第２のスイッチ素子としての各スイッチ素子Ｑ１，Ｑ２、第１および第２の制御手段としての各制御ＩＣ１，ＩＣ２、ダイオードＤ１，Ｄ２、コンデンサＣ１，Ｃ２、および抵抗Ｒ１，Ｒ２を含んで構成され、各出力端子に適当な負荷ＲＬ１，ＲＬ２が接続されて使用される。
【００１６】
スイッチング電源１０，２０のスイッチング電源としての動作は共通するので、以下、スイッチング電源１０の場合についてのみ述べる。
スイッチング電源１０のスイッチ素子Ｑ１は、たとえば、図に示すようにＮＰＮ型トランジスタにより構成され、制御ＩＣ１からベース端子に供給されるＰＷＭ駆動信号（パルス幅変調信号）により、その導通状態が制御される。これにより、スイッチング電源１０では、入力した直流電圧ＶＩ１に基づいて、ＰＷＭ駆動信号のデューティ比に応じた実効値の交流電圧がトランスＴ１の二次側に誘起される。
【００１７】
ダイオードＤ１は、トランスＴ１の二次側に配設され、誘起された交流電圧を整流し、コンデンサＣ１は、ダイオードＤ１により整流された電圧を平滑化してリプル成分を除去する。
【００１８】
制御ＩＣ１は、スイッチング電源１０による出力電圧を制御するための制御ＩＣである。制御ＩＣ１は、少なくとも４つの端子を含み、図に示す端子１は、上述したように、外部から調整可能なデューティ比のＰＷＭ駆動信号を各スイッチ素子Ｑ１のベース端子に供給する。
制御ＩＣ１の端子２および端子３は、所定の同期信号を同期回路３０を介して送出するための端子である。
たとえば、制御ＩＣ１は、同期信号としてのクロックパルスを生成して端子２から出力する。制御ＩＣ１の端子３は、制御ＩＣ１内のグランド電位またはスイッチング電源１０のグランド端子ＧＮＤ１に接続されている。かかる同期信号としてのクロックパルスは、ＰＷＭ駆動信号の同期をとることができれば十分であるので、そのクロックパルスのデューティ比は、ＰＷＭ駆動信号のデューティ比と比較して非常に小さく、数パーセントのレベルである。
【００１９】
制御ＩＣの端子４は、スイッチング電源１０において、トランスＴ１の二次側回路にある抵抗Ｒ１に接続される。
制御ＩＣ１は、トランスＴ１の二次側に発生する直流電圧のレベルを検出してフィードバックし、端子１からスイッチ素子Ｑ１に供給するＰＷＭ駆動信号のデューティ比を制御している。これにより、トランスＴ１の二次側の出力電圧レベルが安定化される。
【００２０】
スイッチング電源２０の制御ＩＣ２は、スイッチング電源１０の制御ＩＣ１と比較して、自ら同期信号を生成することはなく、制御ＩＣ１からの同期信号に基づいて制御を行う点で相違する。
具体的には、制御ＩＣ２は、制御ＩＣ１から供給される同期信号をトランスＴ３を介して端子２から入力する。制御ＩＣ２の端子３は、制御ＩＣ２内のグランド電位またはスイッチング電源２０のグランド端子ＧＮＤ２に接続されている。
その際、同期信号は、トランスＴ３により絶縁された状態で制御ＩＣ２に供給されるとともに、同期信号であるクロックパルスの電圧振幅は、トランスＴ３の一次側巻線Ｎｐおよび二次側巻線Ｎｓの比により調整される。したがって、制御ＩＣ２に応じて、クロックパルスの電圧振幅を可変とすることが可能である。
【００２１】
同期回路３０は、一次側巻線Ｎｐと二次側巻線Ｎｓを有するトランスＴ３を含んで構成される。
上述したように、同期回路３０は、制御ＩＣ１から出力される同期信号を後段の制御ＩＣ２に対して絶縁して供給する。その際、同期信号としてのクロックパルスは、数ボルト程度の信号であれば十分であり、トランスＴ３自体は非常に小さいもので構わないので、電子回路基板に実装することも可能である。。
【００２２】
制御ＩＣ１がスイッチ素子Ｑ１に供給するＰＷＭ駆動信号の基準となる同期信号としてのクロックパルスは、同期回路３０により、絶縁されて制御ＩＣ２に伝達され、制御ＩＣ２では、伝達されたクロックパルスに同期させてスイッチ素子Ｑ２に供給するＰＷＭ駆動信号をスイッチ素子Ｑ２に供給される。
【００２３】
以上説明したように、本実施形態に係るスイッチング電源の同期回路によれば、スイッチング電源１０の制御ＩＣ１は、制御ＩＣ１から供給するＰＷＭ駆動信号に基づいて、スイッチ素子Ｑ１の導通状態を制御することにより、ＰＷＭ駆動信号のデューティ比に応じた実効値の電圧がトランスＴ１の二次側回路から取り出され、同様に、スイッチング電源２０の制御ＩＣ２は、制御ＩＣ２から供給するＰＷＭ駆動信号に基づいて、スイッチ素子Ｑ２の導通状態を制御することにより、ＰＷＭ駆動信号のデューティ比に応じた実効値の電圧がトランスＴ２の二次側回路から取り出され、その際、制御ＩＣ２は、制御ＩＣ１からトランスＴ３を介して絶縁された状態で供給される同期信号に同期させて、ＰＷＭ駆動信号をスイッチ素子Ｑ２に供給するので、スイッチング電源１０およびスイッチング電源２０のスイッチングの動作タイミングを完全に一致させることが可能となる。
【００２４】
本実施形態に係るスイッチング電源の同期回路によれば、同期回路３０のトランスＴ３の一次側巻線Ｎｐおよび二次側巻線Ｎｓの巻線比を調整することにより、同期信号のレベルを任意に設定することができるので、制御ＩＣに応じた電圧レベルとすることが可能となる。
【００２５】
本実施形態に係るスイッチング電源の同期回路によれば、同期信号をトランスＴ３を介して伝達させているので、数１０ＫＨｚ〜数１０００ＫＨｚの広範囲なスイッチング電源に対応することが可能であると同時に、同期信号のデューティ比は非常に小さいため、新たにトランスをリセットする部品を使用することなく、同期信号を受信する側の入力インピーダンスを調整することにより、トランスをリセットする構成をとることができる。
【００２６】
同期信号としてのクロックパルスの電圧振幅は数ボルト程度であり、また、パルス幅は数ｎｓから数１００ｎｓ程度であるため、同期回路３０のトランスＴ３により消費される電力はほとんどなく、トランスＴ３自体は大幅な小型化が可能であるので、回路基板上に実装することで低コストを図ることができる。
【００２７】
第２の実施形態
以下、第２の実施形態に係る同期回路について述べる。
本実施形態に係る同期回路は、第１の実施形態に係る同期回路を一般化したものである。すなわち、第１の実施形態における同期回路３０は、前述したスイッチング電源１０，２０の構成に関わらず、制御ＩＣによりスイッチングを制御するあらゆるスイッチング電源に拡張して適用することが可能である。
【００２８】
図２は、本実施形態に係る同期回路の一構成例を示す。
図２において、マスタコントローラ(Master Controller) １１およびスレーブコントローラ(Slave Controller)２１は、それぞれ、第１の実施形態における制御ＩＣ１およびＩＣ２に相当する駆動信号の制御部を構成する。
すなわち、各コントローラは、スイッチング電源におけるスイッチングのタイミングを制御するための信号（駆動信号）を、それぞれ制御対象に送出する。
【００２９】
マスタコントローラ１１は、上記駆動信号を図示しない制御対象に送出するほか、内部において駆動信号出力のタイミング基準とする同期信号としてのクロックパルスを生成し、同期端子ＳＹＮＣより、当該クロックパルスを出力する（Sync.Out) 。
スレーブコントローラ２１は、同様に、駆動信号を図示しない制御対象に送出するが、自ら同期信号を生成することはなく、図に示すように、トランスＴ３から構成される同期回路３１を介して、マスタコントローラ１１より供給される同期信号（Sync.In)に同期したタイミングで、駆動信号を送出する。
マスタコントローラ１１およびスレーブコントローラ２１は、各グランド端子ＧＮＤにより別個に接地されているので、電気的に完全に絶縁されている。
【００３０】
以上の構成を有することにより、本実施形態に係るスイッチング電源の同期回路は、第１の実施形態に係るスイッチング電源の同期回路と同様の効果が得られる。
すなわち、マスタコントローラ１１およびスレーブコントローラ２１の制御対象であるスイッチングの動作タイミングを完全に一致させることが可能となるほか、広範囲なスイッチング周波数帯で使用可能であり、小型化・低コスト化を図ることが可能である。
【００３１】
第３の実施形態
次に、本実施形態の応用例について述べる。
第２の実施形態において、マスタコントローラ１１およびスレーブコントローラ２１の間で受渡される同期信号がクロックパルスの場合について図２に関連付けて述べたが、実際には、各コントローラ毎に同期方式が異なるために、適用可能な同期信号が異なる場合がある。
本応用例に係るスイッチング電源の同期回路は、上述した本実施形態のスイッチング電源の同期回路に対して、各コントローラ間の同期信号の違いを吸収するための信号変換手段としての信号変換回路(Converter) を付加した点で相違するものである。
【００３２】
図３は、マスタコントローラとスレーブコントローラの一般的な同期方式の具体例について示す図であり、（ａ）はクロック方式を、（ｂ）はランプ方式を、（ｃ）はＰＷＭドライブ出力による同期方式を、それぞれ示す。
図３（ａ）のクロック方式は、第１および第２の実施形態で述べたスイッチング電源の同期回路と同様に、マスタコントローラに設定された同期端子ＳＹＮＣから同期のためのクロックパルスを出力させる方式である。すでに述べたように、このクロックパルスの電圧振幅は数ボルト程度であり、また、クロックパルスのデューティ比は、数パーセント以下のレベルである。
【００３３】
図３（ｂ）のランプ方式は、図に示すような鋸波の同期信号を、マスタコントローラが送出し、この鋸波の同期信号に基づいて、スレーブコントローラが同期をとる方式である。
図３（ｃ）のＰＷＭドライブ出力による同期方式は、スレーブコントローラ側でクロック方式またはランプ方式の同期方式のいずれの同期方式にも対応できない場合に、マスタコントローラが制御対象に送出するＰＷＭ駆動信号に基づいて同期をとる方式である。
【００３４】
図３（ｃ）に示すＰＷＭドライブ出力による同期方式によれば、上述したように、ＰＷＭ駆動信号に基づいてスレーブコントローラが直接同期をとるため、同期信号の信号変換回路は必要ない。
したがって、以下、クロック方式およびランプ方式をとるコントローラ間での信号変換回路を付加したスイッチング電源の同期回路について説明する。
【００３５】
図４は、クロック方式からランプ方式への信号変換回路を付加したスイッチング電源の同期回路の構成例を示す。
図４に示す同期回路では、マスタコントローラ１１ａの同期端子ＳＹＮＣから供給されるクロックパルスを、同期回路３１のトランスＴ３が絶縁して伝達する。
抵抗Ｒ３、コンデンサＣ３およびＣ４により形成される信号変換回路は、積分回路を構成し、トランスＴ３の二次側に誘起されたクロックパルス形状の信号を、鋸波形状の信号に変換する。
【００３６】
図５は、ランプ方式からクロック方式への信号変換回路を付加したスイッチング電源の同期回路の構成例を示す。
図４に示す同期回路では、信号変換回路(Converter) ４０を、同期回路３１の前段に設け、当該信号変換回路４０により、ランプ信号からクロック信号への信号変換を行う。たとえば、信号変換回路４０として、ＣＲ微分回路により構成する。
同期回路３１は、第２の実施形態と同様に、信号変換回路４０により生成されたクロックパルスを絶縁して、トランスＴ３の二次側に接続されたスレーブコントローラ２１ｂへ伝達する。
【００３７】
なお、マスタコントローラとスレーブコントローラがともにランプ方式の同期方式である場合には、信号変換回路が必要ないことは言うまでもない。
また、マスタコントローラからのＰＷＭドライブ信号を、クロック方式またはランプ方式のスレーブコントローラに適合するように信号変換する信号変換回路を同期回路３１の前段に設定することもできる。
【００３８】
以上説明したように、マスタコントローラとスレーブコントローラ間で、同期信号の形式が異なる場合であっても、必要に応じて信号変換回路を付加することにより、同期信号の信号波形を変換して同期させることが可能である。
したがって、トランスを用いた同期回路を、より幅広い制御回路（制御ＩＣ）間で適用することが可能である。
【００３９】
なお、上述した各実施形態に係るスイッチング電源の同期回路は、上述した内容に拘泥せず、発明の要旨を変更しない範囲で改変可能である。
たとえば、図１に関連付けて述べた第１の実施形態に係るスイッチング電源の同期回路では、同期信号の受渡しを行う制御ＩＣが一対一の場合について説明したが、同期回路３０のトランスＴ３の二次側巻線を複数設定することにより、制御ＩＣ１からの同期信号を制御ＩＣ２だけでなく複数の制御ＩＣに伝達することが可能である。
図６は、上述したように、一のスイッチング電源から他の複数のスイッチング電源へ同期信号を伝達する場合の一構成例を示す。
図中、スイッチング電源２０ａ，２０ｂ，２０ｃは、独立した制御ＩＣをそれぞれ有し、各制御ＩＣは、同期回路３２が含むトランスＴ４を経由して、制御ＩＣ１から同期信号を同時に与えられる。これにより、スイッチング電源１０，２０ａ，２０ｂ，２０ｃがすべて同期して動作することが可能となる。
【００４０】
同様に、図２に関連付けて述べた第２の実施形態に係るスイッチング電源の同期回路では、同期信号が与えられえるスレーブコントローラが１つのみの場合について説明したが、同期回路のトランスの二次側巻線を複数設定することにより、マスタコントローラからの同期信号を１つのスレーブコントローラだけでなく、複数のスレーブコントローラに伝達することが可能である。
【００４１】
また、図１に示す同期回路は、それぞれ独自に直流電圧を入力する複数のスイッチング電源を同期させて動作させるために、各スイッチング電源の制御ＩＣ間の同期信号を同期させて伝達するための同期回路であり、スイッチ素子をトランスの一次側に配置するように構成したが、各スイッチング電源が共通の直流電圧に基づいて、トランスの二次側に配置するスイッチ素子を制御するように構成してもよい。
【図面の簡単な説明】
【００４２】
【図１】第１の実施形態に係るスイッチング電源の同期回路である。
【図２】第２の実施形態に係るコントローラ間の同期回路である。
【図３】同期回路に使用される同期信号であり、（ａ）はクロック方式を、（ｂ）はランプ方式を、（ｃ）はＰＷＭ方式を、それぞれ示す。
【図４】第２の実施形態に係るコントローラ間の同期回路の一応用例である。
【図５】第２の実施形態に係るコントローラ間の同期回路の一応用例である。
【図６】複数のスイッチング電源間における同期信号の構成例である。
【符号の説明】
【００４３】
１０，２０，２０ａ，２０ｂ，２０ｃ…スイッチング電源、１１，１１ａ，１１ｂ…マスタコントローラ、２１，２１ａ，２１ｂ…スレーブコントローラ、３０，３１，３２…同期回路。
【図１】
2005287226.tif 000003
【図２】
2005287226.tif 000004
【図３】
2005287226.tif 000005
【図４】
2005287226.tif 000006
【図５】
2005287226.tif 000007
【図６】
2005287226.tif 000008